(57)【要約】【課題】高速巻き時及び高負荷巻き時において指がつまみ部にフィットして、確実に握持可能であり、かつ、握り替えを手の感覚に基づいて俊敏に行うことが可能なつまみ部を備える魚釣り用リールのハンドルノブを提供すること。【解決手段】つまみ部３２では、ノブ軸線Ｔ方向についてハンドルアーム２１と反対側の端部と最大外径位置Ｍ２との間の寸法Ｌａは、ノブ軸線Ｔ方向について最大外径位置Ｍ２と最小外径位置Ｍ１との間の寸法Ｌｂより小さい。また、つまみ部３２のノブ軸線Ｔに平行に切断した断面では、第２の領域４２の曲率半径ＲＡは、第１の領域４１の曲率半径ＲＢ１及び第３の領域４３の曲率半径ＲＢ２より小さく、第４の領域４４の曲率半径ＲＣは、第３の領域４３の曲率半径ＲＢ２より小さい。【選択図】図４
2011244773.tif 000002
【特許請求の範囲】
【請求項１】
ハンドルアームにノブ支軸を介して、前記ノブ支軸のノブ軸線の軸回り方向に回転自在に取り付けられる魚釣り用リールのハンドルノブにおいて、
前記ノブ支軸が挿通される筒状部と、
前記ノブ軸線方向について前記筒状部の前記ハンドルアームと反対側に設けられるとともに、前記筒状部より前記ノブ支軸の径方向に膨出し、前記ノブ軸線方向に垂直に切断した断面が円断面であるつまみ部と、
を具備し、
前記つまみ部は、
前記ノブ軸線方向について前記ハンドルアーム側の端部に外径が最小となる最小外径位置を、前記ノブ軸線方向について両端部の間に外径が最大となる最大外径位置を有し、
前記ノブ軸線方向について前記ハンドルアームと反対側の端部から前記最大外径位置に向かって外径が拡径する拡径部と、前記最大外径位置から前記最小外径位置に向かって外径が縮径される縮径部とを備え、
前記ノブ軸線方向について前記拡径部の寸法が、前記縮径部の寸法より小さく、
前記ノブ軸線に平行に切断した断面での曲率半径が異なる複数の領域を有し、前記複数の領域は、前記最大外径位置が位置する最大外径領域と、前記ノブ軸線方向について前記最大外径領域の前記ハンドルアームと反対側に隣接する反アーム側隣接領域と、前記ノブ軸線方向について前記最大外径領域の前記ハンドルアーム側に隣接するアーム側隣接領域と、前記ノブ軸線方向について前記アーム側隣接領域の前記ハンドルアーム側に設けられる少なくとも１つの領域とを含み、
前記ノブ軸線に沿って平行に切断した断面では、前記最大外径領域の曲率半径は、前記反アーム側隣接領域の曲率半径及び前記アーム側隣接領域の曲率半径より小さく、
前記ノブ軸線に平行に沿って切断した断面では、前記アーム側隣接領域及び前記少なくとも１つの領域の中で、前記ノブ軸線方向について前記ハンドルアーム側に位置する領域ほど、曲率半径が小さいことを特徴とするハンドルノブ。
【請求項２】
前記つまみ部は、前記ノブ軸線方向について前記ハンドルアームと反対側の部位に、前記ハンドルアームと反対側に向けて開口する開口部を備えることを特徴とする請求項１に記載のハンドルノブ。
【発明の詳細な説明】
【技術分野】
【０００１】
本発明は、魚釣り用リールのハンドルノブに関する。
【背景技術】
【０００２】
魚釣り用リールは、釣り糸を巻き取るスプールが設けられたリール本体と、リール本体にハンドル軸を介して取付けられるハンドル本体とを備える。ハンドル本体は、一端がリール本体のハンドル軸に取り付けられるハンドルアームと、ハンドルアームの他端に固定状態で取り付けられるノブ支軸と、ノブ支軸にノブ支軸の軸回り方向に回転自在に取り付けられるハンドルノブとを備える。ハンドルノブは、ノブ支軸が挿通される筒状部と、ノブ支軸の軸方向について筒状部のハンドルアームと反対側に設けられ、ノブ支軸の径方向に筒状部より膨出するつまみ部とを備える。魚釣り用リールを使用する際、釣り人はつまみ部を握持してハンドル本体を回転することにより、操作力がリール本体のロータ又はスプールに伝達される。そして、スプールに釣り糸が巻き取られる。つまみ部は、例えば球形状等の、つまみ部の外形を掌及び指で覆った状態で握持可能な形状に形成されている。
【０００３】
一般に、仕掛け回収時等の高速巻き時には、指の力を主体につまみ部を握持する。この際、掌がつまみ部のハンドルアームの反対側の部位と密着せず、かつ、指先部分がつまみ部のハンドルアーム側の部位に位置しない状態で、つまみ部が握持される。掌がつまみ部に密着していないため、手首の回転を利用してハンドル本体の操作を行うことにより、高速に釣り糸を巻くことが可能となる。一方、魚が掛かった際等の高負荷巻き時には、掌及び指の力によりつまみ部を握持する。この際、掌がつまみ部のハンドルアームの反対側の部位と密着し、かつ、指先部分がつまみ部のハンドルアーム側の部位に位置する状態で、つまみ部が握持される。掌がつまみ部に密着するため、手首が固定され、釣り糸を巻き取るために十分な操作力でハンドル本体の操作を行うことが可能となる。ただし、この際、手首が固定されるため、釣り糸の高速巻きは行い難い。
【０００４】
特許文献１には、ノブ支軸に垂直に切断した断面が円形状のつまみ部を備えるハンドルノブが開示されている。このハンドルノブのつまみ部は、ノブ支軸の軸方向について略中央位置に、ノブ支軸に垂直に切断した断面の外径が最大となる最大外径位置を有する。つまみ部は、最大外径位置よりハンドルアーム側は略半球状に形成され、最大外径位置よりハンドルアームと反対側は略円錐台形状に形成されている。このような構成にすることにより、つまみ部のハンドルアームと反対側の部位に掌を密着させた状態でつまみ部を握持する高負荷巻き時に、指先部分がつまみ部の略半球状の部分に密着し、指の付け根部分がつまみ部の略円錐台状の部分に密着する。これにより、釣り人は高負荷巻き時でつまみ部を握持した際にフィット感が得ることができ、確実につまみ部を握持することが可能となる。
【先行技術文献】
【特許文献】
【０００５】
【特許文献１】特開２００３−２８４４６３号公報
【発明の概要】
【発明が解決しようとする課題】
【０００６】
上記特許文献１のハンドルノブのつまみ部では、ノブ支軸の軸方向について最大外径位置よりハンドルアーム側の寸法が、最大外径位置よりハンドルアームと反対側の寸法と略同一である。このため、つまみ部のハンドアームと反対側の部位に掌を密着させないで状態でつまみ部を握持する高速巻き時に、ノブ支軸の軸方向について最大外径位置よりハンドルアームと反対側に指先部分が位置する状態で、つまみ部を握持することがある。指先部分が最大外径位置よりハンドルアームと反対側に位置するため、指先部分がフィットせず、指先部分がつまみ部から滑り易くなる。
【０００７】
また、高速巻き時に急に魚が掛かった場合、十分な操作力で操作を行うため、高負荷巻き時の握りに俊敏に握り替えることが必要となる。また、特にジギングと呼ばれる釣りにおいて、釣り糸を巻き取る速度に緩急をつけて、巻き取り動作が行われる。この場合、高速巻き時の握りから高負荷巻き時の握りに、及び、高負荷巻き時の握りから高速巻き時の握りに俊敏に握り替えることが必要となる。以上のような握り替えは俊敏に行われるため、握り替えの際に釣り人は手元を見る余裕はなく、手の感覚に基づいて握り替えが行われる。上記特許文献１のハンドルノブのつまみ部の形状では、握り替えの際に、釣り人が掌及び指の位置の変化を感知し難い。このため、手の感覚に基づいて俊敏に握り替えを行い難い。
【０００８】
本発明は上記課題に着目してなされたものであり、その目的とするところは、高速巻き時及び高負荷巻き時において指がつまみ部にフィットして、確実に握持可能であり、かつ、握り替えを手の感覚に基づいて俊敏に行うことが可能なつまみ部を備える魚釣り用リールのハンドルノブを提供することにある。
【課題を解決するための手段】
【０００９】
上記目的を達成するため、本発明は、ハンドルアームにノブ支軸を介して、前記ノブ支軸のノブ軸線の軸回り方向に回転自在に取り付けられる魚釣り用リールのハンドルノブにおいて、前記ノブ支軸が挿通される筒状部と、前記ノブ軸線方向について前記筒状部の前記ハンドルアームと反対側に設けられるとともに、前記筒状部より前記ノブ支軸の径方向に膨出し、前記ノブ軸線方向に垂直に切断した断面が円断面であるつまみ部と、を具備し、  前記つまみ部は、前記ノブ軸線方向について前記ハンドルアーム側の端部に外径が最小となる最小外径位置を、前記ノブ軸線方向について両端部の間に外径が最大となる最大外径位置を有し、前記ノブ軸線方向について前記ハンドルアームと反対側の端部から前記最大外径位置に向かって外径が拡径する拡径部と、前記最大外径位置から前記最小外径位置に向かって外径が縮径される縮径部とを備え、前記ノブ軸線方向について前記拡径部の寸法が、前記縮径部の寸法より小さく、前記ノブ軸線に平行に切断した断面での曲率半径が異なる複数の領域を有し、前記複数の領域は、前記最大外径位置が位置する最大外径領域と、前記ノブ軸線方向について前記最大外径領域の前記ハンドルアームと反対側に隣接する反アーム側隣接領域と、前記ノブ軸線方向について前記最大外径領域の前記ハンドルアーム側に隣接するアーム側隣接領域と、前記ノブ軸線方向について前記アーム側隣接領域の前記ハンドルアーム側に設けられる少なくとも１つの領域とを含み、前記ノブ軸線に沿って平行に切断した断面では、前記最大外径領域の曲率半径は、前記反アーム側隣接領域の曲率半径及び前記アーム側隣接領域の曲率半径より小さく、前記ノブ軸線に沿って平行に切断した断面では、前記アーム側隣接領域及び前記少なくとも１つの領域の中で、前記ノブ軸線方向について前記ハンドルアーム側に位置する領域ほど、曲率半径が小さいことを特徴とする。
【００１０】
このハンドルノブでは、前記つまみ部は、前記ノブ軸線方向について前記ハンドルアームと反対側の部位に、前記ハンドルアームと反対側に向けて開口する開口部を備えることが好ましい。
【発明の効果】
【００１１】
拡径部の寸法を縮径部の寸法より小さくすることにより、高速巻き時に掌がつまみ部のハンドルアームと反対側の部位と密着しない状態でつまみ部を握持する際にも、ノブ軸線方向について最大外径位置よりハンドルアーム側に指の指先部分が位置する。すなわち、手首の回転を利用可能で、かつ、ノブ軸線方向について最大外径位置よりハンドルアーム側に指先部分が位置する状態で、つまみ部を握持可能となる。つまみ部を握持する際には、最大外径位置に最も大きい力が加わる。したがって、高速巻き時でも指が最大外径位置でつまみ部と密着するため、強い力でつまみ部を握持可能となる。すなわち、高速巻き時において指がつまみ部にフィットして、確実につまみ部を握持することができる。
【００１２】
また、このつまみ部では、ノブ軸線に平行に切断した断面で、アーム側隣接領域及びノブ軸線方向についてアーム側隣接領域よりハンドルアーム側に設けられる少なくとも１つの領域の中で、ノブ軸線方向についてハンドルアーム側に位置する領域ほど曲率半径を小さくなる。これにより、つまみ部のハンドルアーム側の部位の外周面とノブ軸線方向に垂直な面との間の角度が小さくなり、高負荷巻き時に指先部分がつまみ部のハンドルアーム側の部位に位置する状態でつまみ部を握持する際に、つまみ部のハンドルアーム側の部位に指先部分がフィットする。このため、つまみ部の握持性が向上し、指が抜け難くなる。また、指が抜け難くなることにより、高負荷巻き時に手首が固定されるほど強い握持力で、つまみ部を握持する必要がなくなる。このため、高負荷巻き時の操作の際にも、手首の回転を利用することが可能となり、しゃくり動作の際のしゃくりの種類のバリエーションが拡がるといった利点が得られる。
【００１３】
また、つまみ部のノブ軸線に平行に切断した断面で、最大外径領域の曲率半径を、反アーム側隣接領域の曲率半径及びアーム側隣接領域の曲率半径より小さくすることにより、高速巻き時と高負荷巻き時との間での握り替えの際に、指が曲率の変化を感知する。このため、釣り人は手の感覚に基づいて、俊敏に握り替えを行うことができる。
【００１４】
また、最大外径領域のノブ軸線に平行に切断した断面での曲率半径を小さくすることにより、最大外径領域の最大外径位置よりノブ軸線方向についてハンドルアーム側の部位で、最大外径領域の外周面とノブ軸線方向に垂直な面との間の角度が小さくなる。このため、高速巻き時に最大外径領域の最大外径位置よりノブ軸線方向についてハンドルアーム側の部位に指先部分が位置する状態でつまみ部が握持され際に、つまみ部の握持性が向上し、指が抜け難くなる。
【００１５】
さらに、ノブ軸線方向についてつまみ部のハンドルアームと反対側の部位に開口部を設けることにより、高負荷巻き時につまみ部を握持する際に、掌が開口部の内部に食い込む。また、掌に水分が付着した状態でつまみ部を握持する場合も、水分が開口部の内部に流れ込む。したがって、掌がつまみ部から滑り難くなる。また、掌が開口部の内部に食い込むことにより、つまみ部を握持する際に、つまみ部のよりハンドルアーム側の部位に指先部分を配置可能となる。
【図面の簡単な説明】
【００１６】
【図１】本発明の第１の実施形態に係る魚釣り用リールを示す正面図。
【図２】第１の実施形態に係るハンドル本体を示す側面図。
【図３】第１の実施形態に係るハンドル本体を示す断面図。
【図４】第１の実施形態に係るハンドルノブをノブ軸線方向に平行に切断した断面を概略的に示す断面図。
【図５】第１の実施形態に係るハンドル本体の、高速巻き時に釣り人がつまみ部を握持する状態を示す概略図。
【図６】第１の実施形態に係るハンドル本体の、高負荷巻き時に釣り人がつまみ部を握持する状態を示す概略図。
【図７】本発明の第２の実施形態に係るハンドル本体を示す側面図。
【図８】第２の実施形態に係るハンドル本体を示す断面図。
【図９】第２の実施形態に係るハンドルノブをノブ軸線方向に平行に切断した断面を概略的に示す断面図。
【発明を実施するための形態】
【００１７】
（第１の実施形態）  
本発明の第１の実施形態について図１乃至図６を参照して説明する。図１は、本実施形態の魚釣り用リール１を示す図である。図１に示すように、魚釣り用リール１は、リール本体２と、リール本体２に対して回転自在に取り付けられるハンドル本体３とを備える。ハンドル本体３は、リール本体２の内部に設けられる巻取り駆動機構（図示しない）のハンドル軸（図示しない）に連結されている。リール本体２は、ハンドル本体３が取り付けられるハンドル取付け部５と、ハンドル本体３の回転に連動して回転するロータ７とを備える。ハンドル本体３を回転させることにより、巻取り駆動機構が駆動され、ロータ７が回転する。
【００１８】
ロータ７の軸方向についてロータ７のハンドル取付け部５と反対側には、釣り糸が巻き取られるスプール９が設けられている。スプール９は、リール本体２の内部のスプール軸（図示しない）に、ロータ７と同軸状に取り付けられている。リール本体２の内部には、往復駆動機構（図示しない）が設けられ、往復駆動機構によりスプール９及びスプール軸が一体に軸方向に往復動作を行う。
【００１９】
また、ロータ７には、ロータ７の軸方向についてハンドル取付け部５と反対方向に突設される一対のロータ腕部７Ａが、ロータ７と一体に設けられている。ロータ７の軸方向についてそれぞれロータ腕部７Ａのハンドル取付け部５と反対側の端部には、ベール支持部材１１が取り付けられている。また、リール本体２は、一端がベール支持部材１１の一方に、他端がベール支持部材１１の他方に取り付けられる半環状のベール１３を備える。２つのベール支持部材１１及びベール１３は、釣り糸を巻き取る際の糸巻取り位置と、釣り糸を放出する際の糸放出位置との間で反転可能である。一方のベール支持部材１１は、ロータ腕部７Ａの一方に取り付けられるベールアーム１５と、ベール１３と連続するラインスライダ１７と、ベールアーム１５とラインスライダ１７との間に設けられるラインローラ１９とを備える。
【００２０】
釣り糸がスプール９に巻き取られる際には、ハンドル本体３を回転させることにより、ロータ７を回転させる。ロータ７の回転により、スプール９及びスプール軸が軸方向に往復動作を行う。スプール９の往復運動により、釣り糸がラインローラ１９を介してスプール９に導かれ、スプール９に巻回される。また、釣り糸を放出する際には、２つのベール支持部材１１及びベール１３を糸巻取り位置から糸放出位置へと反転させる。そして、釣り人が仕掛け（図示しない）を投げることにより、スプール９に巻回される釣り糸が繰り出される。
【００２１】
図２及び図３は、ハンドル本体３の構成を示す図である。図１乃至図３に示すように、ハンドル本体３は、一端がリール本体２のハンドル軸（図示しない）に取り付けられるハンドルアーム２１と、ハンドルアーム２１の他端に固定状態で取り付けられるノブ支軸２２と、ノブ支軸２２にノブ支軸２２の軸回り方向に回転自在に取り付けられるハンドルノブ２３とを備える。ノブ支軸２２は、リール本体２のハンドル軸のハンドル軸線Ｃ（図１参照）に平行なノブ軸線Ｔに沿って設けられている。ハンドルノブ２３には、ノブ軸線Ｔに沿って内部空洞２５が設けられている。ハンドルノブ２３の内部空洞２５に、ノブ支軸２２が挿入されている。ハンドルノブ２３は、固定ナット２７及び軸受け２９Ａ，２９Ｂにより、ノブ支軸２２にノブ軸線Ｔ回り方向に回転自在に支持されている。
【００２２】
図４は、ハンドルノブ２３の構成を示す図である。図２乃至図４に示すように、ハンドルノブ２３は、ノブ支軸２２が挿通される筒状部３１と、ノブ支軸２２の軸方向について筒状部３１のハンドルアーム２１と反対側に設けられるつまみ部３２とを備える。つまみ部３２は、筒状部３１よりノブ支軸２２の径方向に膨出している。また、つまみ部３２では、ノブ軸線Ｔ方向に垂直に切断した断面が円断面である。釣り人はつまみ部３２を握持してハンドル本体３を回転することにより、操作力がリール本体２のスプール９に伝達される。
【００２３】
つまみ部３２は、ノブ軸線Ｔ方向についてハンドルアーム２１側の端部に、外径が最小となる最小外径位置Ｍ１を有する。また、つまみ部３２は、ノブ軸線Ｔ方向について両端部の間に外径が最大となる最大外径位置Ｍ２を有する。つまみ部３２は、ノブ軸線Ｔ方向についてハンドルアーム２１と反対側の端部から最大外径位置Ｍ２に向かって外径が拡径する拡径部３５と、最大外径位置Ｍ２から最小外径位置Ｍ１（ノブ軸線Ｔ方向についてハンドルアーム２１側の端部）に向かって外径が縮径される縮径部３７とを備える。ノブ軸線Ｔ方向についてハンドルアーム２１と反対側の端部と最大外径位置Ｍ２との間の寸法Ｌａは、ノブ軸線Ｔ方向について最大外径位置Ｍ２と最小外径位置Ｍ１との間の寸法Ｌｂより小さい。すなち、ノブ軸線Ｔ方向について拡径部３５の寸法Ｌａが、縮径部３７の寸法Ｌｂより小さい。例えば、寸法Ｌａが１５．０ｍｍ程度であり、寸法Ｌｂが２１．５ｍｍ程度である。ここで、Ｌｂ／Ｌａ比が、１．５〜２．０程度であることが好ましい。
【００２４】
図４に示すように、つまみ部３２は、ノブ軸線Ｔに平行に切断した断面での曲率半径が異なる複数（本実施形態では４つ）の領域４１〜４４を有する。領域４１〜４４は、ノブ軸線Ｔ方向についてハンドルアーム２１の反対側から順に、第１の領域４１、第２の領域４２、第３の領域４３、第４の領域４４とする。本実施形態では、第２の領域４２が、最大外径位置Ｍ２が位置する最大外径領域である。また、第１の領域４１が、ノブ軸線Ｔ方向について最大外径領域である第２の領域４２のハンドルアーム２１と反対側に隣接する反アーム側隣接領域である。そして、第３の領域４３が、ノブ軸線Ｔ方向について最大外径領域である第２の領域４２のハンドルアーム２１側に隣接するアーム側隣接領域である。ノブ軸線Ｔ方向についてアーム側隣接領域である第３の領域４３のハンドルアーム２１側には、少なくとも１つの領域、本実施形態では第４の領域４４が設けられている。
【００２５】
ノブ軸線Ｔに平行に切断した断面では、第２の領域４２の曲率半径ＲＡは、第１の領域４１の曲率半径ＲＢ１より小さい。また、ノブ軸線Ｔに平行に切断した断面では、第２の領域４２の曲率半径ＲＡは、第３の領域４３の曲率半径ＲＢ２より小さい。すなわち、ノブ軸線Ｔに平行に切断した断面では、最大外径領域（第２の領域４２）の曲率半径ＲＡは、反アーム側隣接領域（第１の領域４１）の曲率半径ＲＢ１及びアーム側隣接領域（第３の領域４３）の曲率半径ＲＢ２より小さい。例えば、曲率半径ＲＡが１４ｍｍ程度であり、曲率半径ＲＢ１，ＲＢ２が３０ｍｍ程度である。ここで、ＲＡ／ＲＢ１比は、３／７〜４／７程度であることが好ましい。また、ＲＡ／ＲＢ２比は、３／７〜４／７程度であることが好ましい。
【００２６】
また、ノブ軸線Ｔに平行に切断した断面では、第４の領域４４の曲率半径ＲＣは、第３の領域４３の曲率半径ＲＢ２より小さい。すなわち、ノブ軸線Ｔに平行に切断した断面では、アーム側隣接領域（第３の領域４３）及びノブ軸線Ｔ方向についてアーム側隣接領域よりハンドルアーム２１側に設けられる少なくとも１つの領域（第４の領域４４）の中で、ノブ軸線Ｔ方向についてハンドルアーム２１側に位置する領域ほど、曲率半径が小さい。例えば、曲率半径ＲＢ２が３０ｍｍ程度であり、曲率半径ＲＣが２５ｍｍ程度である。
【００２７】
また、ノブ軸線Ｔ方向についてハンドルアーム２１と反対側の端部でのつまみ部３２の外径をｄ１とし、最大外径位置Ｍ２でのつまみ部３２の外径をｄ２とする。つまみ部３２のｄ１／ｄ２比は４／７〜５．５／７程度である。例えば、ｄ１が３０．８ｍｍ程度であり、ｄ２が４３．６ｍｍ程度である。
【００２８】
図５は、仕掛け回収時等の高速巻き時に、釣り人がつまみ部３２を握持する状態を示す図である。前述のように、ノブ軸線Ｔ方向についてハンドルアーム２１と反対側の端部と最大外径位置Ｍ２との間の寸法Ｌａは、ノブ軸線Ｔ方向について最大外径位置Ｍ２と最小外径位置Ｍ１との間の寸法Ｌｂより小さくなっている。このため、図５に示すように、高速巻き時に掌５０がつまみ部３２のハンドルアーム２１と反対側の部位と密着しない状態でつまみ部３２を握持する際にも、ノブ軸線Ｔ方向について最大外径位置Ｍ２よりハンドルアーム２１側に指５１の指先部分５２が位置する。すなわち、手首の回転を利用可能で、かつ、ノブ軸線Ｔ方向について最大外径位置Ｍ２よりハンドルアーム２１側に指先部分５２が位置する状態で、つまみ部３２を握持可能となる。つまみ部３２を握持する際には、最大外径位置Ｍ２に最も大きい力が加わる。したがって、高速巻き時でも指５１が最大外径位置Ｍ２でつまみ部３２と密着するため、強い力でつまみ部３２を握持可能となる。すなわち、高速巻き時において指５１がつまみ部３２にフィットして、確実につまみ部３２を握持することができる。特に、Ｌｂ／Ｌａ比を、１．５〜２．０程度にすることにより、高速巻き時に指５１がつまみ部３２にフィットし、より強い力でつまみ部３２を握持可能となる。
【００２９】
図６は、魚が掛かった際等の高負荷巻き時に、釣り人がつまみ部４０を握持する状態を示す図である。高負荷時には糸を巻き取るために十分な操作力で操作を行う必要があるため、図６に示すように、掌５０及び指５１の力によりつまみ部３２を包み込む状態で握持する。この際、掌５０がつまみ部３２のハンドルアーム２１の反対側の部位と密着し、かつ、指先部分５２がつまみ部３２のハンドルアーム２１側の部位である第４の領域４４に位置する状態で、つまみ部３２が握持される。一般に、ノブ軸線Ｔ方向について最大外径位置Ｍ２と最小外径位置Ｍ１との間の寸法Ｌｂが大きくなることにより、つまみ部３２のハンドルアーム２１側の部位の外周面とノブ軸線Ｔ方向に垂直な面との間の角度が大きくなる。このため、高負荷巻き時に指先部分５２がつまみ部３２のハンドルアーム２１側の部位に位置する状態でつまみ部３２を握持する際には、指５１が抜けやすい。そこで、前述のように、つまみ部３２をノブ軸線Ｔに平行に切断した断面では、アーム側隣接領域（第３の領域４３）及びノブ軸線Ｔ方向についてアーム側隣接領域よりハンドルアーム２１側に設けられる少なくとも１つの領域（第４の領域４４）の中で、ノブ軸線Ｔ方向についてハンドルアーム２１側に位置する領域ほど、曲率半径が小さくなっている。ノブ軸線Ｔ方向についてハンドルアーム２１側に位置する領域ほど曲率半径を小さくすることにより、つまみ部３２のハンドルアーム２１側の部位（本実施形態では第４の領域４４）の外周面とノブ軸線Ｔ方向に垂直な面との間の角度が小さくなる。これにより、高負荷巻き時に指先部分５２がつまみ部３２の第４の領域４４に位置する状態でつまみ部３２を握持する際に、つまみ部３２の第４の領域に指先部分５２がフィットする。このため、つまみ部３２の握持性が向上し、指５１が抜け難くなる。また、指５１が抜け難くなることにより、高負荷巻き時に手首が固定されるほど強い握持力で、つまみ部３２を握持する必要がなくなる。このため、高負荷巻き時の操作の際にも、手首の回転を利用することが可能となり、しゃくり動作の際のしゃくりの種類のバリエーションが拡がるといった利点が得られる。
【００３０】
また、前述のように、つまみ部３２のノブ軸線Ｔに平行に切断した断面では、最大外径領域（第２の領域４２）の曲率半径ＲＡは、反アーム側隣接領域（第１の領域４１）の曲率半径ＲＢ１及びアーム側隣接領域（第３の領域４３）の曲率半径ＲＢ２より小さくなっている。図５及び図６に示すように、高速巻き時と高負荷巻き時とでは、つまみ部３２での指５１の位置が変化する。例えば、指５１の高速巻き時に第２の領域４２に位置する部位が、高負荷巻き時には第３の領域４３に位置する。また、指５１の高速巻き時に第１の領域４１に位置する部位が、高負荷巻き時には第２の領域４２に位置する。第２の領域４２の曲率半径ＲＡを第１の領域４１の曲率半径ＲＢ１及び第３の領域４３の曲率半径ＲＢ２より小さくすることにより、高速巻き時と高負荷巻き時との間での握り替えの際に、指５１が曲率の変化を感知する。このため、釣り人は手の感覚に基づいて、俊敏に握り替えを行うことができる。特に、ＲＡ／ＲＢ１比を３／７〜４／７程度にすることにより、第１の領域４１と第２の領域４２とで感度に適切な差が生じる。同様に、ＲＡ／ＲＢ２比を３／７〜４／７程度にすることにより、第２の領域４２と第３の領域４３とで感度に適切な差が生じる。したがって、高速巻き時と高負荷巻き時との間での握り替えの際に、指５１が曲率の変化を感知し易くなり、人は手の感覚に基づいて、より俊敏に握り替えを行うことができる。
【００３１】
また、最大外径領域（第２の領域４２）のノブ軸線Ｔに平行に切断した断面での曲率半径ＲＡを小さくすることにより、第２の領域４２の最大外径位置Ｍ２よりノブ軸線Ｔ方向についてハンドルアーム２１側の部位で、第２の領域４２の外周面とノブ軸線Ｔ方向に垂直な面との間の角度が小さくなる。図５に示すように、高速巻き時には、第２の領域４２の最大外径位置Ｍ２よりノブ軸線Ｔ方向についてハンドルアーム２１側の部位に指先部分５２が位置する状態で、つまみ部３２が握持される。したがって、高速巻き時につまみ部３２を握持する際に、つまみ部３２の握持性が向上し、指５１が抜け難くなる。
【００３２】
さらに、つまみ部３２では、ノブ軸線Ｔ方向についてハンドルアーム２１と反対側の端部でのつまみ部３２の外径ｄ１と、最大外径位置Ｍ２でのつまみ部３２の外径ｄ２とのｄ１／ｄ２比が、４／７〜５．５／７程度である。図６に示すように、高負荷巻き時には、掌５０の指５１の付け根近傍の部位が第１の領域４１に位置する状態で、つまみ部３２が握持される。ｄ１／ｄ２比を４／７〜５．５／７程度にすることにより、掌５０の指５１の付け根近傍の部位が第１の領域４１に密着し、フィットし易くなる。これにより、しゃくり動作の際に力を加え易くなる。
【００３３】
以上のようにして、つまみ部３２では、高速巻き時及び高負荷巻き時において指がつまみ部にフィットして、高速巻き時及び高負荷巻き時の両方において確実に握持可能となる。また、つまみ部３２では、高速巻き時と高負荷巻き時との間での握り替えを、手の感覚に基づいて俊敏に行うことが可能となる。  
（第２の実施形態）  
次に、本発明の第２の実施形態について図７乃至図９を参照して説明する。なお、第１の実施形態と同一の部分及び同一の機能を有する部分については同一の符号を付して、その説明は省略する。
【００３４】
図７及び図８は、本実施形態のハンドル本体３の構成を示す図である。図７及び図８に示すように、ハンドル本体３は、第１の実施形態と同様に、ハンドルアーム２１と、ノブ支軸２２と、ハンドルノブ６０とを備える。図９は、ハンドルノブ６０の構成を示す図である。図９に示すように、ハンドルノブ６０は、第１の実施形態と同様に、筒状部３１と、つまみ部６１とを備える。
【００３５】
つまみ部６１は、ノブ軸線Ｔ方向についてハンドルアーム２１側の端部に、外径が最小となる最小外径位置Ｍ１を有する。また、つまみ部６１は、ノブ軸線Ｔ方向について両端部の間に外径が最大となる最大外径位置Ｍ２を有する。つまみ部６１では、第１の実施形態のつまみ部３２と同様に、ノブ軸線Ｔ方向についてハンドルアーム２１と反対側の端部と最大外径位置Ｍ２との間の寸法Ｌａは、ノブ軸線Ｔ方向について最大外径位置Ｍ２と最小外径位置Ｍ１との間の寸法Ｌｂより小さい。すなち、ノブ軸線Ｔ方向について拡径部３５の寸法Ｌａが、縮径部３７の寸法Ｌｂより小さい。例えば、寸法Ｌａが１５．０ｍｍ程度であり、寸法Ｌｂが２０．７ｍｍ程度である。
【００３６】
また、つまみ部６１は、ノブ軸線Ｔに平行に切断した断面での曲率半径が異なる複数（本実施形態では６つ）の領域７１〜７６を有する。領域７１〜７６は、ノブ軸線Ｔ方向についてハンドルアーム２１の反対側から順に、第１の領域７１、第２の領域７２、第３の領域７３、第４の領域７４、第５の領域７５、第６の領域７６とする。本実施形態では、第３の領域７３が、最大外径位置Ｍ２が位置する最大外径領域である。また、第２の領域７２が、ノブ軸線Ｔ方向について最大外径領域である第３の領域７３のハンドルアーム２１と反対側に隣接する反アーム側隣接領域である。そして、第４の領域７４が、ノブ軸線Ｔ方向について最大外径領域である第３の領域７３のハンドルアーム２１側に隣接するアーム側隣接領域である。ノブ軸線Ｔ方向についてアーム側隣接領域である第４の領域７４のハンドルアーム２１側には、少なくとも１つの領域、本実施形態では第５の領域７５及び第６の領域７６が設けられている。
【００３７】
つまみ部６１をノブ軸線Ｔに平行に切断した断面では、第３の領域７３の曲率半径ＲＡは、第２の領域７２の曲率半径ＲＢ１より小さい。また、ノブ軸線Ｔに平行に切断した断面では、第３の領域７３の曲率半径ＲＡは、第４の領域７４の曲率半径ＲＢ２より小さい。すなわち、ノブ軸線Ｔに平行に切断した断面では、最大外径領域（第３の領域７３）の曲率半径ＲＡは、反アーム側隣接領域（第２の領域７２）の曲率半径ＲＢ１及びアーム側隣接領域（第４の領域７４）の曲率半径ＲＢ２より小さい。例えば、曲率半径ＲＡが１４ｍｍ程度であり、曲率半径ＲＢ１，ＲＢ２が３０ｍｍ程度である。
【００３８】
また、ノブ軸線Ｔに平行に切断した断面では、第５の領域７５の曲率半径ＲＣは、第３の領域４３の曲率半径ＲＢ２より小さい。また、ノブ軸線Ｔに平行に切断した断面では、第６の領域７６の曲率半径ＲＤは、第５の領域７５の曲率半径ＲＣより小さい。すなわち、ノブ軸線Ｔに平行に切断した断面では、アーム側隣接領域（第４の領域７４）及びノブ軸線Ｔ方向についてアーム側隣接領域よりハンドルアーム２１側に設けられる少なくとも１つの領域（第５の領域７５及び第６の領域７６）の中で、ノブ軸線Ｔ方向についてハンドルアーム２１側に位置する領域ほど、曲率半径が小さい。例えば、曲率半径ＲＢ２が３０ｍｍ程度であり、曲率半径ＲＣが２５ｍｍ程度である。そして、曲率半径ＲＤが１２ｍｍ程度である。なお、反アーム側隣接領域である第２の領域７２のノブ軸線Ｔ方向についてハンドルアーム２１と反対側の第１の領域７１の曲率半径ＲＥは、７ｍｍ程度である。
【００３９】
図８に示すように、ノブ軸線Ｔ方向についてつまみ部６１のハンドルアーム２１と反対側の部位には、ハンドルアーム２１と反対側に向けて開口する開口部８１が設けられている。開口部８１を設けることにより、高負荷巻き時につまみ部６１を握持する際に、掌５０が開口部８１の内部に食い込む。また、掌５０に水分が付着した状態でつまみ部６１を握持する場合も、水分が開口部８１の内部に流れ込む。したがって、掌５０がつまみ部６１から滑り難くなる。また、掌５０が開口部８１の内部に食い込むことにより、つまみ部６１を握持する際に、つまみ部６１のよりハンドルアーム２１側の部位に指先部分５２を配置可能となる。なお、開口部８１は、つまみ部６１の寸法により異なるが、直径が１５ｍｍ〜４０ｍｍ程度であることが好ましい。
【００４０】
図７に示すように、つまみ部６１の最大外径位置Ｍ２よりハンドルアーム２１側の部位には、複数の溝状部８２がノブ軸線Ｔの軸回り方向に沿って延設されている。それぞれの溝状部８２は、ノブ軸線Ｔ方向に並設されている。また、つまみ部６１の最大外径位置Ｍ２よりハンドルアーム２１の反対側の部位には、複数の孔状部８３が設けられている。それぞれの孔状部８３は、ノブ軸線Ｔの軸回り方向に並設されている。溝状部８２及び孔状部８３を設けることにより、つまみ部６１を握持した際に、滑り止め効果と手触り感が得られる。また、溝状部８２及び孔状部８３により、デザインとして美的効果を生じる。
【００４１】
図８に示すように、つまみ部６１の開口部８１が位置する部位には、つまみ部の外周面から内周側に凹む凹状部８５が形成されている。凹状部８５の底面には、貫通孔８５Ａが設けられている。また、つまみ部６１には、ハンドルアーム２１側に位置する部位から内周側に向けて突出する筒状の突出部８７が設けられている。突出部８７の内部まで、ノブ支軸２２が延設されている。凹状部８５と突出部８７との間は、連結ナット８９を介して連結されている。この際、凹状部８５の貫通孔８５Ａに連結ナット８７が挿入され、凹状部８５の底面を突出部８７と連結ナット８９との間で挟持する。そして、連結ナット８９と突出部８７とを螺合することにより、凹状部８５と突出部８７とが連結される。以上のように、部品の数を少なくして、凹状部８５と突出部８７との連結部を単純な構成とすることが可能であるため、つまみ部６１の生産性が向上する。
【００４２】
また、凹状部８５と突出部８７との連結部には、弾性体であるＯリング９１が、凹状部８５、突起部８７及び連結ナット８９に接する状態で設けられている。Ｏリング９１により、凹状部８５と突出部８７との連結部が水密構造となる。このため、開口部８１から流入した水分の内部空洞２５への流入が、防止される。また、Ｏリング９１により、連結ナット８９の弛みが防止される。
【００４３】
（変形例）  
第１の実施形態では、つまみ部３２が、ノブ軸線Ｔに平行に切断した断面での曲率半径が異なる４つの領域４１〜４４を有する。第２の実施形態では、つまみ部６１が、ノブ軸線Ｔに平行に切断した断面での曲率半径が異なる６つの領域７１〜７６を有する。しかし、つまみ部３２，６１は、ノブ軸線Ｔに平行に切断した断面での曲率半径が異なる複数の領域を有していればよい。そして、複数の領域は、最大外径位置Ｍ２が位置する最大外径領域と、ノブ軸線Ｔ方向について最大外径領域のハンドルアーム２１と反対側に隣接する反アーム側隣接領域と、ノブ軸線Ｔ方向について最大外径領域のハンドルアーム２１側に隣接するアーム側隣接領域と、ノブ軸線Ｔ方向についてアーム側隣接領域のハンドルアーム２１側に設けられる少なくとも１つの領域とを含めばよい。
【００４４】
以上、本発明の実施形態について説明したが、本発明は上記の実施形態に限定されるものではなく、本発明の要旨を逸脱しない範囲で種々の変形ができることは勿論である。
【符号の説明】
【００４５】
１…魚釣り用リール、２…リール本体、３…ハンドル本体、２１…ハンドルアーム、２２…ノブ支軸、２３，６０…ハンドルノブ、３１…筒状部、３２，６１…つまみ部、４１…第１の領域、４２…第２の領域、４３…第３の領域、４４…第４の領域、Ｔ…ノブ軸線、Ｍ１…最小外径位置、Ｍ２…最大外径位置、Ｌａ，Ｌｂ…寸法、ＲＡ，ＲＢ１，ＲＢ２，ＲＣ…曲率半径。
【図１】
2011244773.tif 000003
【図２】
2011244773.tif 000004
【図３】
2011244773.tif 000005
【図４】
2011244773.tif 000006
【図５】
2011244773.tif 000007
【図６】
2011244773.tif 000008
【図７】
2011244773.tif 000009
【図８】
2011244773.tif 000010
【図９】
2011244773.tif 000011